(57)【要約】【課題】電気機器装置を、複数の本体スイッチ群の操作や、人為的な操作を行うことなく集中制御手段との通信を可能にすること。【解決手段】本体スイッチ手段４とリモートコントロール手段６を備え、リモートコントロール手段からの操作信号および前記本体スイッチ手段への操作および装置への電源投入の少なくともいずれか一つをトリガとして、あるいは電気機器装置１がスレーブ通信手段の情報テーブル１０１の状態を検知しその状態に応じて、集中制御手段７に搭載されるマスター通信手段８とのマスタースレーブ関係を確立する初期登録通信を開始する事により、電気機器装置１と集中制御手段７の通信が可能となる。【選択図】図１
2006033428.tif 000002
【特許請求の範囲】
【請求項１】
有線または無線のリモートコントロール手段と、本体スイッチ手段と、通信制御手段と、前記通信制御手段を介して接続される通信手段と、機器全体の制御および前記リモートコントロール手段との送受信および前記通信手段との送受信を行う演算制御手段を備え、前記演算制御手段は前記通信制御手段を介して、前記通信手段の接続情報保持状態を検知して前記通信手段との通信を開始することを特徴とした電気機器装置。
【請求項２】
通信手段を介して集中制御手段との通信を行い、前記集中制御手段からの信号に応じて運転状態を変更し、またリモートコントロール手段もしくは本体スイッチ手段による運転状態の変更を、状態変化情報として前記集中制御手段に送信する機能を備え、前記リモートコントロール手段からの操作信号および前記本体スイッチ手段への操作および装置への電源投入の少なくともいずれか一つをトリガとして、前記通信手段との初期通信、および前記集中制御手段に搭載されるマスター通信手段とのマスタースレーブ関係を確立する初期登録通信を開始する信号を送信することを特徴とした請求項１に記載の電気機器装置。
【請求項３】
初期通信において、通信手段がマスター通信手段とマスタースレーブ関係を確立しているかどうかの情報を、通信制御手段を介して演算制御手段が取得し、前記通信手段が前記マスター通信手段とマスタースレーブ関係を確立していないという情報をトリガとして、初期登録通信を開始する信号を送信することを特徴とした請求項１または２に記載の電気機器装置。
【請求項４】
電気機器装置は家庭用空気調和機であることを特徴とする請求項１から３記載の電気機器装置。
【発明の詳細な説明】
【技術分野】
【０００１】
本発明は有線もしく無線通信による通信機能を搭載した家庭用電気機器装置、特に空気調和機の遠隔集中制御に関するものである。
【背景技術】
【０００２】
従来、この種の通信を用いた遠隔制御システムにおいては、スレーブ通信手段とそれに繋がる家電機器が何らかの原因で通信が成立しなくなった場合には、自動的に認識できる（例えば、特許文献１参照）。
【０００３】
図５は、特許文献１に記載された従来の遠隔制御システムを示すものである。図５に示すように、記憶部５，８とスイッチ２０，２１及び表示部１９を備えた親局通信装置１３と、局番号保持部１７−１から１７−ｎを備えた子局通信装置１４−１から１４−ｎを伝送路１１に接続して構成されている。
【特許文献１】特開平１０−２４３００１号公報
【発明の開示】
【発明が解決しようとする課題】
【０００４】
しかしながら、前記従来の構成では、集中制御装置への通信が可能な状態になっている電気機器装置を自動的に検知して、通信可能な状態にすることは不可能であった。すなわち集中制御装置に搭載されるマスター通信手段への初期登録通信を開始するためのトリガとして、家電機器本体に備わっている複数の操作スイッチを同時に長押しするなどの操作を行うことにより上記の通信が可能となるが、本来複数の操作スイッチを持たない家庭用空気調和機のような家電機器においては複数の操作スイッチを同時に押すという操作はできないという課題を有していた。
【０００５】
本発明は、前記従来の課題を解決するもので、複数の本体操作スイッチを持たない家電機器においても、マスター通信手段への初期登録通信を行うことを可能とすることを目的とする。
【課題を解決するための手段】
【０００６】
前記従来の課題を解決するために、本発明の電気機器装置は、有線または無線のリモートコントロール手段と、装置本体スイッチ手段と、通信制御手段と、前記通信制御手段を介して接続される通信手段と、機器全体の制御および前記リモートコントロール手段との送受信および前記通信手段とのとの送受信を行う演算制御手段を備え、前記演算制御手段は前記通信制御手段を介して、前記通信手段の接続情報保持状態を検知して前記通信手段との初期通信を開始することを特徴としたものである。
【０００７】
また、本発明は、通信手段を介して集中制御手段との通信を行い、前記集中制御手段からの信号に応じて運転状態を変更し、またリモートコントロール手段もしくは本体スイッチ手段による運転状態の変更を、状態変化情報として前記集中制御手段に送信する機能を備え、前記リモートコントロール手段からの操作信号および前記本体スイッチ手段への操作および装置への電源投入の少なくともいずれか一つをトリガとして、前記通信手段との初期通信、および前記集中制御手段に搭載されるマスター通信手段とのマスタースレーブ関係を確立する初期登録通信を開始する信号を送信することを特徴としたものである。
【０００８】
また、本発明は、初期通信において、通信手段がマスター通信手段とマスタースレーブ関係を確立しているかどうかの情報を、通信制御手段を介して演算制御手段が取得し、前
記通信手段が前記マスター通信手段とマスタースレーブ関係を確立していないという情報をトリガとして、初期登録通信を開始する信号を送信することを特徴としたものである。
【０００９】
また、本発明は、前記電気機器装置は家庭用空気調和機であることを特徴とするものである。
【発明の効果】
【００１０】
本発明の電気機器装置は、何らの人為的な操作を行うことなく、あるいは複数の本体スイッチへの操作を行うことなく、通信手段との初期通信を開始し演算制御手段と通信手段の間の論理的な接続を確立することが可能となり、さらには集中制御手段に搭載されるマスター通信手段とのマスタースレーブ関係を確立する初期登録通信を開始することが可能となる。
【発明を実施するための最良の形態】
【００１１】
第１の発明は、有線または無線のリモートコントロール手段と、装置本体スイッチ手段と、通信制御手段と、前記通信制御手段を介して接続される通信手段と、機器全体の制御および前記リモートコントロール手段との送受信および前記通信手段との送受信を行う演算制御手段を備え、前記演算制御手段は前記通信制御手段を介して、前記通信手段の接続状態を検知して前記通信手段との通信を開始することにより、何らの人為的な操作を行うことなく、通信手段との初期通信を開始し演算制御手段と通信手段の間の論理的な接続を確立することが可能となり、通信手段と演算制御手段との通信を行うことが可能となる。
【００１２】
第２の発明は、通信手段を介して集中制御手段との通信を行い、前記集中制御手段からの信号に応じて運転状態を変更し、またリモートコントロール手段もしくは本体スイッチ手段による運転状態の変更を、状態変化情報として前記集中制御手段に送信する機能を備え、前記リモートコントロール手段からの操作信号および前記本体スイッチ手段への操作および装置への電源投入の少なくともいずれか一つをトリガとして、前記通信手段との初期通信、および前記集中制御手段に搭載されるマスター通信手段とのマスタースレーブ関係を確立する初期登録通信を開始する信号を送信することにより、複数の本体操作スイッチに対する操作を行うことなく、マスター通信手段への初期登録通信を開始することが可能となる。
【００１３】
第３の発明は、初期通信において、通信手段がマスター通信手段とマスタースレーブ関係を確立しているかどうかの情報を、通信制御手段を介して演算制御手段が取得し、前記通信手段が前記マスター通信手段とマスタースレーブ関係を確立していないという情報をトリガとして、初期登録通信を開始する信号を送信することにより、何らの人為的な操作を介することなく、通信手段との初期通信を開始し演算制御手段と通信手段の間の論理的な接続を確立することが可能となり、さらには集中制御手段に搭載されるマスター通信手段とのマスタースレーブ関係を確立する初期登録通信を開始することが可能となる。
【００１４】
第４の発明は、特に、第１〜３のいずれか１つの発明を家庭用空気調和機に適用することにより、複数の本体操作スイッチに対する操作を行うことなく、また何ら人為的な操作を介することなく、マスター通信手段への初期登録通信を開始することが可能となる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における電気機器装置の構成図を示すものである。
【００１７】
図１において、電気機器装置１は演算制御手段２および通信制御手段３、本体スイッチ手段４を備え、通信制御手段３を介して通信手段５と接続され、通信機能を有する電気機器装置を構成している。またリモートコントロール手段６によって運転開始停止や運転状態の設定変更がなされる。
【００１８】
以上のように構成された電気機器装置について、以下その動作、作用を説明する。
【００１９】
まず、演算制御手段２は、通信制御手段３を介して接続される通信手段５との通信をおこない、通信手段５が外部の通信に必要な情報、例えば無線で言うところの無線識別符号や無線ＩＤを保有しているかどうかを確認する。それらの情報を保有している場合にはそのまま通常の通信を継続するが、保有していない場合には、それらの情報を取得するトリガとなる取得要求電文を演算制御手段２が通信手段５に対して送信し、通信手段５はその電文をトリガとして、例えば無線識別符号や無線ＩＤを取得する初期通信を開始することとなる。
【００２０】
以上のように、本実施の形態においては演算制御手段２が通信手段５の保有している情報を確認することにより、その保有状態によって初期通信開始することにより、何ら人為的な操作を行うことなく、通信手段との初期通信を開始し演算制御手段と通信手段との間の論理的な接続を確立することができる。
【００２１】
（実施の形態２）
図２は、本発明の第２の実施の形態の電気機器装置および集中制御手段が構成するシステムの図である。
【００２２】
集中制御手段７は電気機器装置１を遠隔操作したり、あるいは電気機器装置が複数存在する場合には、それらの装置群を集中的に制御したり、それらの運転状態を表示する機能を有している。集中制御手段７は電気機器装置１に接続される通信手段５と同種の通信手段８を有しており、その通信手段８を介して電気機器装置１との通信、具体的にはリモートコントロール手段や本体スイッチ手段による運転開始停止の変化や運転状態の変化を状態変化情報として送信したり、集中制御手段７からの運転開始停止の指令や運転状態の変更指令の受信などを行う。
【００２３】
しかしながら、上記の通信を行えるようになるには、集中制御装置７の通信手段８と電気機器装置１の通信手段５との間にマスタースレーブ関係を確立する必要がある。すなわち通信手段８の保有する、例えば無線の場合では無線識別符号や無線ＩＤを通信手段５に渡すことにより、通信手段８をマスター、通信手段５をスレーブとする関係を確立することができ、この状態になってはじめて上記のような情報のやりとりが可能となる。
【００２４】
リモートコントロール手段６からの操作信号および本体スイッチ手段４への操作および電気機器装置１への電源投入の少なくともいずれか一つをトリガとして、演算制御手段２と通信手段５との初期通信、および集中制御手段に搭載されるマスター通信手段とのマスタースレーブ関係を確立する初期登録通信を開始する信号を送信することにより、複数の本体操作スイッチに対する操作を行うことなく、マスター通信手段への初期登録通信を開始することが可能となる。これにより、複数の本体操作スイッチに対する操作を行うことなく、マスター通信手段への初期登録通信を開始することが可能となる。
【００２５】
（実施の形態３）
図３は本発明の第３の実施の形態の電気機器装置および集中制御手段が構成するシステムの概念図である。
【００２６】
情報テーブル１０１は、電気機器装置１に接続されるスレーブ通信手段５が保有する通信に必要な情報、例えば無線識別符号および無線ＩＤを保有する領域であるが、図に示すように無線識別符号と無線ＩＤが書き込まれる領域は空欄となっており、スレーブ通信手段５がまだそれらの情報を保有していないことを表す。
【００２７】
情報テーブル１０２は集中制御手段７に接続されるマスター通信手段８が保有する無線識別符号と、集中制御手段７およびマスター通信手段８が集中的に管理・制御するスレーブ通信手段に割り振った無線ＩＤを保有している。
【００２８】
情報テーブル１０１は、スレーブ通信手段５が、無線識別符号および無線ＩＤを保有していない状態を表しており、この状態で電気機器装置１の電源が投入されたり電気的あるいは論理的にリセットされた場合には、電気機器装置１がこれを検知しスレーブ通信手段５に、マスター通信手段８にこれらの情報を要求する電文送信を促す電文を送信する。この電文をトリガとしてスレーブ通信手段５はマスター通信手段８に無線識別符号および無線ＩＤなど通信に必要な情報を要求する。マスター通信手段８はこの要求を受けてスレーブ通信手段５に無線識別符号と空きの無線ＩＤを提供し、これによって通信手段５の情報テーブル１０１には１０３に示すように無線識別情報と無線ＩＤが格納され、マスタースレーブの関係を確立する。この機能により何ら人為的な操作を行うことなく、電気機器装置１はスレーブ通信手段５との初期通信および、集中制御手段７との通信を確立することができる。
【００２９】
（実施の形態４）
図４は電気機器装置１を家庭用空気調和機とした場合の構成を表す図を示すものである。
図４において家庭用空気調和機９はスレーブ通信手段５と物理的・電気的に接続され、スレーブ通信手段５とマスター通信手段８を介して集中制御手段７と通信を行う。
【００３０】
家庭用空気調和機９は電源が投入されたり電気的あるいは論理的にリセットされた際に、スレーブ通信手段５が無線識別符号および無線ＩＤを保有しているかどうかを確認し、保有していなければ、スレーブ通信手段５に、マスター通信手段８にこれらの情報を要求する電文送信を促す電文を送信する。この電文をトリガとしてスレーブ通信手段５はマスター通信手段８に無線識別符号および無線ＩＤなど通信に必要な情報を要求する。マスター通信手段８はこの要求を受けてスレーブ通信手段５に無線識別符号と無線ＩＤを提供し、これによって通信手段５に無線識別情報と無線ＩＤが格納され、マスタースレーブの関係を確立する。この機能により何ら人為的な操作を行うことなく、家庭用空気調和機９はスレーブ通信手段５との初期通信および、集中制御手段７との通信を確立することができ、さらには、集中制御手段７からの運転開始停止の指令や運転状態の設定変更指令を受信したり、本体スイッチ手段４やリモートコントロール手段６の操作による運転状態の変化を集中制御手段７に送信することが可能となる。
【産業上の利用可能性】
【００３１】
以上のように、本発明にかかる電気機器装置は、何らの人為的な操作を行うことなく、あるいは複数の本体スイッチへの操作を行うことなく、通信手段との初期通信を開始し演算制御手段と通信手段の間の論理的な接続を確立することが可能となり、さらには集中制御手段に搭載されるマスター通信手段とのマスタースレーブ関係を確立する初期登録通信を開始することが可能となるので、空気調和機等の家庭用電気機器の遠隔集中制御システムに適用できる。
【図面の簡単な説明】
【００３２】
【図１】本発明の実施の形態１における電気機器装置の構成図
【図２】本発明の実施の形態２における電気機器装置と集中制御手段のシステム構成図
【図３】本発明の実施の形態２における情報テーブルの状態を表す説明図
【図４】本発明を空気調和機に適用した場合の構成図
【図５】従来の遠隔制御システムの構成図
【符号の説明】
【００３３】
１  電気機器装置
２  演算制御手段
３  通信制御手段
４  本体スイッチ手段
５  スレーブ通信手段
６  リモートコントロール手段
７  集中制御手段
８  マスター通信手段
９  家庭用空気調和機
１０１、１０３  スレーブ通信手段情報テーブル
１０２、１０４  マスター通信手段情報テーブル
１０５  無線識別符号
１０６  無線ＩＤ群
【図１】
2006033428.tif 000003
【図２】
2006033428.tif 000004
【図３】
2006033428.tif 000005
【図４】
2006033428.tif 000006
【図５】
2006033428.tif 000007